(57)【特許請求の範囲】
【請求項１】
軸筒の前端にペン先が外部に突出する前端孔を備え、前記軸筒の後端開口部に着脱自在のカートリッジを備えた筆記具であって、
前記軸筒の後端開口部の側壁に切欠き部が形成され、
前記カートリッジが、前記軸筒の後端より後方に突出される後側筒部と、前記後側筒部の前方外面に周状に形成される鍔部と、前記鍔部の前方外面に形成される前側筒部と、前記前側筒部に外面に形成される係合壁部と、を備え、
前記前側筒部が前記軸筒の後端開口部に挿着された状態において、前記鍔部が前記軸筒の後端に当接され、前記係合壁部が前記切欠き部に係合されており、
前記係合壁部が、前記切欠き部の形状に沿って延び且つ径方向外方に突出するリブにより形成され、前記係合壁部と前記鍔部との間に指先が挿入可能な凹部が形成されてなることを特徴とする筆記具。
【請求項２】
前記係合壁部が前記鍔部に一体に連設される請求項１記載の筆記具。  
【発明の詳細な説明】
【技術分野】
【０００１】
本発明は、筆記具に関する。詳細には、軸筒のペン先側と反対側の後端開口部に着脱自在のカートリッジを備えた筆記具に関する。
【背景技術】
【０００２】
従来、この種の筆記具において、例えば、特許文献１には、カートリッジが外方に露出する脱離ボタンを備え、操作を容易にするために脱離ボタンの表面に凹凸が刻設される構成が開示されている。
また、特許文献２には、カートリッジの当接部の外周面に指を引っ掛けるための２個の把持部（操作用凸部）が設けられた構成が開示されている。
【先行技術文献】
【特許文献】
【０００３】
【特許文献１】特開２００５−７５７３号公報
【特許文献２】特開２００５−１１９２７２号公報
【発明の概要】
【発明が解決しようとする課題】
【０００４】
前記特許文献１、２の筆記具は、何れも、カートリッジを筆記具本体から取り外すときに、カートリッジと筆記具本体との固定状態が強固であると、指が滑って容易に着脱することができないおそれがある。また、カートリッジの容易な着脱を得るために、安易にカートリッジと筆記具本体との固定状態を弱く設定しまうと、カートリッジが筆記具本体から不用意に脱落するおそれがある。
【０００５】
本発明は前記従来の問題点を解決するものであって、カートリッジと軸筒の後端開口部との固定状態を強固にでき、且つ、カートリッジを軸筒の後端開口部から容易に着脱することができる筆記具を提供しようとするものである。
【０００６】
尚、本発明において、「前」とはペン先側を指し、「後」とはその反対側のカートリッジ側を指す。
【課題を解決するための手段】
【０００７】
本願の第１の発明は、軸筒２の前端にペン先９１が外部に突出する前端孔２１を備え、前記軸筒２の後端開口部２２に着脱自在のカートリッジ３を備えた筆記具であって、前記軸筒２の後端開口部２２の側壁に切欠き部２３が形成され、前記カートリッジ３が、前記軸筒２の後端より後方に突出される後側筒部６と、前記後側筒部６の前方外面に周状に形成される鍔部５と、前記鍔部５の前方外面に形成される前側筒部４と、前記前側筒部４に外面に形成される係合壁部４１と、を備え、前記前側筒部４が前記軸筒２の後端開口部２２に挿着された状態において、前記鍔部５が前記軸筒２の後端に当接され、前記係合壁部４１が前記切欠き部２３に係合されており、前記係合壁部４１が、前記切欠き部２３の形状に沿って延び且つ径方向外方に突出するリブにより形成され、前記係合壁部４１と前記鍔部５との間に指先が挿入可能な凹部７が形成されてなることを特徴とする。
【０００８】
前記第１の発明の筆記具１は、前記形態を採用したことにより、カートリッジ３と軸筒２の後端開口部２２との固定状態を強固にでき、しかも、指先を凹部７に挿入することにより、カートリッジ３を軸筒２の後端開口部２２から容易に着脱することができる。
【０００９】
本願の第２の発明の筆記具１は、前記第１の発明の筆記具１において、前記係合壁部４１が前記鍔部５に一体に連設されることを特徴とする。
【００１０】
前記第２の発明の筆記具１は、前記形態を採用したことにより、それにより、指先と凹部７の引っ掛かり性（フィット感）を向上させ、一層、軸筒２の後端開口部２２からカートリッジ３を容易に着脱することができる。
【００１１】
尚、本発明でカートリッジ３とは、具体的には、筆記具（例えば、ボールペン、マーキングペン、固形芯等）、塗布具（例えば、接着剤、糊、修正液、クリーニング液、その他各種塗布液用ペン等）、転写テープ（例えば、修正テープ、接着剤テープ、マーカーテープ等）、字消し具、または熱変色性インキの筆跡を加熱により熱変色させる加熱具（例えば、摩擦具、通電加熱具等）が挙げられる。
【発明の効果】
【００１２】
本発明の筆記具は、カートリッジと軸筒の後端開口部との固定状態を強固にでき、且つ、カートリッジを軸筒の後端開口部から容易に着脱することができる。
【図面の簡単な説明】
【００１３】
【図１】本発明の実施の形態のペン先突出状態を示す一部縦断面図である。
【図２】図１の後端部を示す要部拡大正面図である。
【図３】図１の軸筒の後端開口部を示す要部斜視図である。
【図４】図１のカートリッジの斜視図である。
【図５】図４のカートリッジの反対側を示す斜視図である。
【図６】図１のキャップを取り外した状態のカートリッジの正面図である。
【図７】図６のカートリッジの反対側を示す正面図である。
【発明を実施するための形態】
【００１４】
本発明の筆記具の実施の形態を図面に従って説明する。（図１乃至図７参照）
【００１５】
本発明の筆記具１は、軸筒２と、軸筒２内に前後方向に移動可能に収容され且つペン先９１を有する複数本の筆記体９と、軸筒２の後端開口部２２に着脱自在に取り付けられるカートリッジ３とを備える。
【００１６】
・軸筒
軸筒２は、先細状の筒状体であり、合成樹脂の成形体により得られる。軸筒２は、１部品で構成されるか、または、複数の部品の組合せにより構成される。軸筒２の前端には、前端孔２１が前後方向に貫設される。前記前端孔２１より筆記体９のペン先９１が出没される。軸筒２の後端開口部２２の側壁には、半円状の切欠き部２３と、２つの係合孔（第１の係合孔２４、第２の係合孔２５）が形成される。尚、本発明で、ペン先９１は軸筒２の前端孔２１に固着されてもよい。
【００１７】
・切欠き部
前記切欠き部２３は、軸筒２の後端開口部２２の側壁に径方向に貫設され且つ後方に開口される。前記切欠き部２３は、１箇所に形成されているが、複数箇所（例えば２箇所）であってもよい。前記切欠き部２３の形状は、半円状の他、例えば、半楕円状、三角形状、四角形状（長方形、正方形、台形等）、多角形状、Ｖ字形状、Ｕ字形状等が挙げられる。
【００１８】
・係合孔
前記第１の係合孔２４は、切欠き部２３の前方に形成され、第２の係合孔２５は、軸線に対して第２の係合孔２５と対称位置に形成される。前記第１の係合孔２４、及び第２の係合孔２５は、軸筒２の側壁に径方向に貫設される。
【００１９】
・第１の内向突起、第２の内向突起
前記第１の係合孔２４と前記第２の係合孔２５との間の周方向内面から前方の軸筒２内面に、２つの内向突起（第１の内向突起２６、第２の内向突起２７）が形成される。
【００２０】
・カートリッジ
前記カートリッジ３は、前側筒部４と鍔部５と後側筒部６とを有する本体と、前記本体の後側筒部６に着脱自在のキャップ８と、を備える。前記カートリッジ３の本体は、前側筒部４と、前側筒部４の後端に一体に連設される鍔部５と、鍔部５より前方に一体に連設される後側筒部６とからなる。前記本体内には、インキが含浸されたインキ吸蔵体が収容され、前記後側筒部６に、前記インキ吸蔵体に接続された筆記先端部６１が取り付けられる。前記本体及びキャップ８は、合成樹脂の成形体により得られる。
【００２１】
・前側筒部
前側筒部４は、軸筒２の後端開口部２２内に挿着される。
【００２２】
・係合壁部
前側筒部４の外面には、係合壁部４１が一体に形成される。前記係合壁部４１が、前記切欠き部２３の形状に沿って延び且つ径方向外方に突出する均一肉厚を有するリブにより形成される。カートリッジ３を軸筒２後端開口部２２に挿着した状態において、係合壁部４１の外面が切欠き部２３に係合される。前記係合壁部４１の両端は鍔部５の前面に連結される。
【００２３】
・第１の係合突起、第２の係合突起
前記係合壁部４１の前方の前側筒部４の外面には、第１の係合突起４２が一体に形成される。前記第１の係合突起４２と軸線に対して対称位置の前側筒部４の外面には、第２の係合突起４３が一体に形成される。前記第１の係合突起４２が前記第１の係合孔２４に落ち込み係合され、前記第２の係合突起４３が前記第２の係合孔２５に落ち込み係合される。係合壁部４１の頂部外面と第１の係合突起４２との間の前側筒部４の外面には連結リブが一体に形成され、連結リブにより係合壁部４１の頂部外面と第１の係合突起４２との間が連結されている。それにより、第１の係合突起４２の折れ曲がりに対する耐久性が向上する。
【００２４】
・第１の外向突起、第２の外向突起
前記第１の係合突起４２と第２の係合突起４３との間の中間の周方向外面から前方の前側筒部４の外面には、第１の外向突起４４及び第２の外向突起４５が一体に形成される。前記第１の外向突起４４が前記第１の内向突起２６に乗り越え係合され、前記第２の外向突起４５が前記第２の内向突起２７に乗り越え係合される。
【００２５】
前記カートリッジ３外面と軸筒２の後端開口部２２内面の４か所の係合（第１の係合突起４２と前記第１の係合孔２４との係合、第２の係合突起４３と第２の係合孔２５との係合、前記第１の外向突起４４と第１の内向突起２６との係合、第２の外向突起４５と第２の内向突起２７との係合）により、カートリッジ３外面と軸筒２の後端開口部２２内面との強固な固定が可能となる
【００２６】
・鍔部
前記鍔部５の前面及び後面は、軸線に対して垂直な平面により形成される。前記鍔部５は、径方向外方に突出された環状突部により形成される。カートリッジ３を軸筒２後端開口部２２に挿着した状態において、前記鍔部５の前面が軸筒２の後端に当接され、前記鍔部５の後面がキャップ８の開口端に当接される。また、この状態において、前記鍔部５の外周面は、軸筒２の後端開口部２２の外周縁部と一致され  軸筒２外周面から径方向に突出していない。
【００２７】
・凹部
前記鍔部５の前面と前記係合壁部４１の両端は一体に連設される。前記鍔部５の前面と係合壁部４１の内面とより半円状の凹部７が形成される。前記凹部７は、指先が挿入可能な程度の大きさを有する。前記凹部７は、深さ３ｍｍ〜５ｍｍ、前後方向の最大幅３ｍｍ〜５ｍｍ、周方向の最大幅８ｍｍ〜１０ｍｍに設定される。
【００２８】
・後側筒部
カートリッジ３を軸筒２の後端開口部２２に挿着した状態において、後側筒部６は、軸筒２の後端より後方に突出される。後側筒部６の後端からは筆記先端部６１が突出される。
【００２９】
・キャップ
キャップ８は、有底の筒状体であり、合成樹脂の成形体により得られる。後側筒部６の外周面に、螺合または嵌合によりキャップ８が着脱自在に取り付けられる。キャップ８内周面は、後側筒部６の外周面と密接され、それにより、筆記先端部６１が密封される。
【００３０】
・カートリッジの交換（カートリッジの取り外し）
カートリッジ３の凹部７に指先を挿入し、指先を鍔部５の前面に引っ掛け、軸筒２に対してカートリッジ３を後方に引っ張ると、カートリッジ３に後方に十分な力が加わり、カートリッジ３の外面と軸筒２の後端開口部２２の内面との４箇所の係合を一度に解除し、カートリッジ３を容易に取り外すことができる。
【００３１】
・カートリッジの交換（カートリッジの挿着）
カートリッジ３の前側筒部４を軸筒２の後端開口部２２に仮挿入し、カートリッジ３の凹部７に指先を挿入し、指先を係合壁部４１の内面に引っ掛け、カートリッジ３を前方に押圧すると、カートリッジ３に前方への十分な力が加わり、カートリッジ３の外面と軸筒２の後端開口部２２の内面とを４箇所で一度に係合状態にでき、カートリッジ３を容易に挿着することができる。
【００３２】
本実施の形態の筆記具１は、軸筒２の前端にペン先９１が外部に突出する前端孔２１を備え、前記軸筒２の後端開口部２２に着脱自在のカートリッジ３を備えた筆記具であって、前記軸筒２の後端開口部２２の側壁に切欠き部２３が形成され、前記カートリッジ３が、前記軸筒２の後端より後方に突出される後側筒部６と、前記後側筒部６の前方外面に周状に形成される鍔部５と、前記鍔部５の前方外面に形成される前側筒部４と、前記前側筒部４に外面に形成される係合壁部４１と、を備え、前記前側筒部４が前記軸筒２の後端開口部２２に挿着された状態において、前記鍔部５が前記軸筒２の後端に当接され、前記係合壁部４１が前記切欠き部２３に係合されており、前記係合壁部が、前記切欠き部２３の形状に沿って延び且つ径方向外方に突出するリブにより形成され、前記係合壁部４１と前記鍔部５との間に指先が挿入可能な凹部７が形成されることにより、予めカートリッジ３と軸筒２の後端開口部２２との固定状態を強固にでき、しかも、指先を凹部７に挿入することにより、カートリッジ３を軸筒２の後端開口部２２から容易に着脱することができる。
【００３３】
本実施の形態の筆記具１は、前記係合壁部４１が鍔部５に一体に連設されることにより、指先と凹部７の引っ掛かり性（フィット感）を向上させ、一層、軸筒２の後端開口部２２からカートリッジ３を容易に着脱することができる。
【符号の説明】
【００３４】
１  筆記具
２  軸筒
２１  前端孔
２２  後端開口部
２３  切欠き部
２４  第１の係合孔
２５  第２の係合孔
２６  第１の内向突起
２７  第２の内向突起
３  カートリッジ
４  前側筒部
４１  係合壁部
４２  第１の係合突起
４３  第２の係合突起
４４  第１の外向突起
４５  第２の外向突起
５  鍔部
６  後側筒部
６１  筆記先端部
７  凹部
８  キャップ
９  筆記体
９１  ペン先
【図１】
0006560611.tif 000002
【図２】
0006560611.tif 000003
【図３】
0006560611.tif 000004
【図４】
0006560611.tif 000005
【図５】
0006560611.tif 000006
【図６】
0006560611.tif 000007
【図７】
0006560611.tif 000008